(57)【要約】【課題】  外部送信するために解像度を下げた文書データの画像状態を、自機で確認できるようにする。【解決手段】  圧縮変換部１７は、文書データを圧縮して解像度を低下させ、ダイレクト出力可能なフォーマットファイルに変換する。入力部７は、フォーマットファイルの画像状態を確認する入力指示を受け付ける。送信先設定部１９は、入力指示を受けたとき、フォーマットファイルに対し自機アドレスを付して送信先を設定する。通信部１１は、ネットワークに接続された送信先に対し、送信先アドレスの付されたフォーマットファイルを処理し、自機アドレスの付されたフォーマットファイルを取り込む。印刷部９はフォーマットファイルから画像形成して印刷する。制御部１は、送信先アドレスの付されたフォーマットファイルに基づき通信部を送信制御し、取り込まれたフォーマットファイルに基づき印刷部９を印刷制御する。【選択図】  図１
2010028191.tif 000002
【特許請求の範囲】
【請求項１】
文書データを圧縮して元文書データより解像度を低下させるとともにダイレクト出力可能なフォーマットファイルに変換する圧縮変換部と、
前記フォーマットファイルの画像状態を確認する入力指示を外部から受け付ける入力部と、
この入力部が前記入力指示を受けたとき、前記フォーマットファイルに対し、送信先アドレスとして少なくとも自機に付された自機アドレスを付して送信先を設定する送信先設定部と、
ネットワークに接続された送信先に対し、前記送信先アドレスの付された前記フォーマットファイルを処理するとともに、前記自機アドレスの付された前記フォーマットファイルを取り込む通信部と、
少なくとも前記フォーマットファイルから画像形成して印刷する印刷部と、
前記送信先アドレスの付された前記フォーマットファイルに基づき前記通信部を送信制御するとともに、取り込まれた前記フォーマットファイルに基づき前記印刷部を印刷制御する制御部と、
を具備することを特徴とする画像形成装置。
【請求項２】
前記入力部は、前記ネットワークに接続された外部の前記送信先を指定する外部送信先設定指示を前記入力指示として受け付ける機能を有し、前記送信先設定部は、前記外部送信先設定指示を受けたとき、前記フォーマットファイルに対し、前記自機アドレスおよび外部の前記送信先の送信先アドレスを付して送信先を設定する請求項１記載の画像形成装置。
【請求項３】
前記圧縮変換部は、前記フォーマットファイルとしてＴＩＦＦ、ＪＰＥＧ、ＰＤＦ又はＸＰＳ形式ファイルに変換する請求項１又は２記載の画像形成装置。
【請求項４】
前記印刷部は、自機アドレスの付された前記フォーマットファイルをダイレクト印刷する印刷機能を有する請求項１〜３いずれか１記載の画像形成装置。
【請求項５】
文書データを圧縮して元文書データより解像度を低下させるとともにダイレクト出力可能なフォーマットファイルに変換する圧縮変換工程と、
前記フォーマットファイルの画像状態を確認する入力指示を外部から受け付ける入力工程と、
この入力部が前記入力指示を受けたとき、前記フォーマットファイルに対し、送信先アドレスとして少なくとも自機に付された自機アドレスを付して送信先を設定する送信先設定工程と、
ネットワークに接続された送信先に対し、前記送信先アドレスの付された前記フォーマットファイルを処理するとともに、前記自機アドレスの付された前記フォーマットファイルを取り込む取込工程と、
前記送信先アドレスの付された前記フォーマットファイルに基づき送信制御する送信制御工程と、
取り込まれた前記フォーマットファイルから画像形成して印刷する印刷工程と、
を具備することを特徴とする画像形成方法。
【請求項６】
前記入力工程は、前記ネットワークに接続された外部の前記送信先を指定する外部送信先設定指示を前記入力指示として受け、前記送信先設定工程は、前記外部送信先設定指示を受けたとき、前記フォーマットファイルに対し、前記自機アドレスおよび外部の前記送信先の送信先アドレスを付して送信先を設定する請求項６記載の画像形成方法。
【請求項７】
前記圧縮変換工程は、前記フォーマットファイルとしてＴＩＦＦ、ＪＰＥＧ、ＰＤＦ又はＸＰＳ形式ファイルに変換する請求項５又は６記載の画像形成方法。
【請求項８】
前記印刷工程は、自機アドレスの付された前記フォーマットファイルをダイレクト印刷する請求項５〜７いずれか１記載の画像形成方法。
【発明の詳細な説明】
【技術分野】
【０００１】
本発明は画像形成装置および画像形成方法に係り、ネットワークに接続されデータを送受信する例えば複合機（ＭＦＰ：Multi Function Peripheral）等の画像形成装置およびこれに用いる画像形成方法の改良に関する。
【背景技術】
【０００２】
近年、商品等の受注を受け付ける受注端末装置に対してネットワークを介して画像形成装置を接続し、当該画像形成装置から商品等を受注端末装置にオンラインで発注や注文し、発注伝票等の帳票類を削減した発注システムが提供されている。
【０００３】
このようなシステムとしては、特開２００４−３０３１５８号公報（特許文献１）、特開２００２−３００３３７号公報（特許文献２）および特開２００３−１８９０３２号公報（特許文献３）等がある。
【０００４】
すなわち、特許文献１は、複写機、プリンタ又はファクシミリ装置をネットワークを介して受注装置に接続し、それら複写機、プリンタ又はファクシミリ装置の表示画面に商品又はサービスを発注するための発注画面を表示させ、複写機、プリンタ又はファクシミリ装置の発注画面から受注装置に商品又はサービスを発注できるようにしたものである。
【０００５】
また、特許文献２は、複写対象の画像を電気信号に変換する画像読取手段と、この画像読取手段で得られた電気信号をディジタルデータ信号に変換する画像信号変換手段と、この画像信号変換手段で得られたディジタルデータ信号をデータフォーマットに従って記録手段に書き込み処理するために出力するディジタルデータ出力手段とを備え、紙の代わりにディジタルデータ形式で記録媒体へ保管することにより、無駄な紙の使用をなくしたものである。
【０００６】
さらに、特許文献３は、通信回線に接続されデータを送受信する画像形成装置において、送信データ控えを印刷するとともに、当該印刷物が送信控えである旨を印刷する構成を有し、受信データの印刷物と送信データの控え印刷物とを容易に判別できるようにしたものである。
【特許文献１】特開２００４−３０３１５８号公報
【特許文献２】特開２００２−３００３３７号公報
【特許文献３】特開２００３−１８９０３２号公報
【発明の開示】
【発明が解決しようとする課題】
【０００７】
しかしながら、上述した各特許文献１〜３は、オンラインで商品又はサービスを発注できるようにしたり、印刷画像を電子データとして蓄積するのみであったり、送信控えである旨を印刷可能にしたものであり、実際に送信して相手が出力する画像を出力するものではない。
【０００８】
そのため、近年、文書データを送信する際に、ネットワーク又はメールサーバ等の容量制限等に起因して送信する文書データの解像度を下げて送信容量を小さくすることが行われているが、低解像度の画像が送信側で意図したように相手方で出力されるか否か確認困難であり、解像度を下げた文書データの画像状態を送信元で確認可能な構成が望まれていた。
【０００９】
本発明はそのような課題を解決するためになされたもので、解像度を下げた文書データの画像状態を送信元で確認することが容易な画像形成装置および画像形成方法の提供を目的とする。
【課題を解決するための手段】
【００１０】
そのような課題を解決するために本発明に係る画像形成装置は、文書データを圧縮して元文書データより解像度を低下させるとともにダイレクト出力可能なフォーマットファイルに変換する圧縮変換部と、そのフォーマットファイルの画像状態を確認する入力指示を外部から受け付ける入力部と、この入力部がその入力指示を受けたとき、そのフォーマットファイルに対し、送信先アドレスとして少なくとも自機に付された自機アドレスを付して送信先を設定する送信先設定部と、ネットワークに接続された送信先に対し、その送信先アドレスの付されたフォーマットファイルを処理するとともに、その自機アドレスの付されたフォーマットファイルを取り込む通信部と、少なくともそのフォーマットファイルから画像形成して印刷する印刷部と、その送信先アドレスの付されたフォーマットファイルに基づきその通信部を送信制御するとともに、取り込まれたフォーマットファイルに基づきその印刷部を印刷制御する制御部と、を具備している。
【００１１】
本発明の画像形成装置では、上記入力部が、そのネットワークに接続された外部の送信先を指定する外部送信先設定指示をその入力指示として受け付ける機能を有し、上記送信先設定部が、その外部送信先設定指示を受けたとき、そのフォーマットファイルに対し、その自機アドレスおよび外部の送信先の送信先アドレスを付して送信先を設定する構成も可能である。
【００１２】
本発明の画像形成装置では、上記圧縮変換部が、そのフォーマットファイルとしてＴＩＦＦ、ＪＰＥＧ、ＰＤＦ又はＸＰＳ形式ファイルに変換する構成も可能である。
【００１３】
本発明の画像形成装置では、上記印刷部が、自機アドレスの付されたフォーマットファイルをダイレクト印刷する印刷機能を有する構成も可能である。
【００１４】
本発明に係る画像形成方法は、文書データを圧縮して元文書データより解像度を低下させるとともにダイレクト出力可能なフォーマットファイルに変換する圧縮変換工程と、そのフォーマットファイルの画像状態を確認する入力指示を外部から受け付ける入力工程と、この入力部がその入力指示を受けたとき、そのフォーマットファイルに対し、送信先アドレスとして少なくとも自機に付された自機アドレスを付して送信先を設定する送信先設定工程と、ネットワークに接続された送信先に対し、その送信先アドレスの付されたフォーマットファイルを処理するとともに、その自機アドレスの付されたフォーマットファイルを取り込む取込工程と、その送信先アドレスの付されたフォーマットファイルに基づき送信制御する送信制御工程と、取り込まれたフォーマットファイルから画像形成して印刷する印刷工程と、を具備している。
【００１５】
本発明の画像形成方法では、上記入力工程が、そのネットワークに接続された外部の送信先を指定する外部送信先設定指示をその入力指示として受け、上記送信先設定工程が、その外部送信先設定指示を受けたとき、そのフォーマットファイルに対し、その自機アドレスおよび外部の送信先の送信先アドレスを付して送信先を設定する構成も可能である。
【００１６】
本発明の画像形成方法では、上記圧縮変換工程が、そのフォーマットファイルとしてＴＩＦＦ、ＪＰＥＧ、ＰＤＦ又はＸＰＳ形式ファイルに変換する構成も可能である。
【００１７】
本発明の画像形成方法では、上記印刷工程が、自機アドレスの付されたフォーマットファイルをダイレクト印刷する構成可能である。
【発明の効果】
【００１８】
このような本発明に係る画像形成装置および画像形成方法では、文書データを圧縮して元文書データより解像度を低下させるとともにダイレクト出力可能なフォーマットファイルに変換し、そのフォーマットファイルの画像状態を確認する入力指示を外部から受けたとき、そのフォーマットファイルに対し、送信先アドレスとして少なくとも自機に付された自機アドレスを付して送信先を設定し、その自機アドレスの付されたフォーマットファイルを送信すると、その自機アドレスの付されたフォーマットファイルが自機に取り込まれ、その取り込まれたフォーマットファイルから画像形成して印刷するから、解像度を低下させた文書データの画像状態を送信元で確認することが可能となる。
【００１９】
本発明において、そのネットワークに接続された外部の送信先を指定する外部送信先設定指示をその入力指示として受けたとき、そのフォーマットファイルに対し、その自機アドレスおよび外部の送信先アドレスを付して送信先を設定する構成では、そのフォーマットファイルを外部の送信先に送信するとき、解像度を低下させた文書データの画像状態を送信元でも自動的に確認することが容易となる。
【００２０】
本発明において、そのフォーマットファイルとしてＴＩＦＦ、ＪＰＥＧ、ＰＤＦ又はＸＰＳ形式ファイルに変換する構成では、ダイレクト印刷可能なフォーマットファイル化が容易である。
【００２１】
本発明において、印刷部にて、自機アドレスの付されたフォーマットファイルをダイレクト印刷する印刷機能を有する構成では、解像度を低下させた文書データの画像状態を送信元で容易に印刷確認することが可能である。
【発明を実施するための最良の形態】
【００２２】
以下、本発明に係る画像形成装置および画像形成方法の実施の形態を図面を参照して説明する。なお、本発明に係る画像形成方法は本発明の画像形成装置を説明する過程で説明する。
【００２３】
図１は本発明に係る画像形成装置Ａを示す概略ブロック図である。
【００２４】
図１において、画像形成装置Ａは、制御部１を中心としてこれに接続された画像読取部３、記憶部５、操作パネル部７、印刷部９および通信部１１を有して構成された、例えば複合機である。
【００２５】
図１中の符号Ｂ、Ｃは、通信部１１とネットワーク１３を介して接続された外部の送信先としての例えばＢＢ社およびＣＣ社の受注端末装置であり、公知のコンピュータで構成されている。
【００２６】
画像読取部３は、制御部１の制御の下、商品（含む消耗品）又はサービスの発注注文用の作成済み又は未作成の発注伝票や注文伝票等の紙原稿から画像を光学的に読み取ってフィルタ処理等し、電子的文書データを印刷データとして生成する公知のスキャナであり、生成した文書データが原稿の頁毎に記憶部５に順次記憶されるようになっている。
【００２７】
記憶部５は、制御部１の制御の下、画像読取部３又は通信部１１からの文書データ、後述する送信先アドレス一覧、後述するフォーマットファイル、制御部１の動作プログラム、当該画像形成装置Ａを操作するための操作画面情報等を記憶する読み書き可能な例えばハードディスク（ＨＤＤ）である。
【００２８】
送信先アドレス一覧は、文書データを例えばＦＴＰ（file transfer protocol）送信する送信先ＩＰアドレスを一覧にしたものであり、例えば図２に示すように、自機（画像形成装置Ａ）のＩＰアドレス「ａａａ．ａａａ．ａａ．ａａａ」に加えて、ＢＢ社の受注端末装置ＢのＩＰアドレス「ｂｂｂ．ｂｂｂ．ｂｂ．ｂｂｂ」、ＣＣ社の受注端末装置ＣのＩＰアドレス「ｃｃｃ．ｃｃｃ．ｃｃ．ｃｃｃ」等を一覧にしたものであり、自機のＩＰアドレスを有する点に特徴がある。
【００２９】
操作パネル部７は、制御部１の制御の下、当該本体ケース（図示せず。）に配置された公知の例えば液晶ディスプレイおよびタッチスイッチを兼ねた入出力部であり、動作状態や諸データを表示するとともに操作指示入力を受け付ける機能を有している。
【００３０】
すなわち、操作パネル部７は、図３に示すように、「コピー」、「スキャナ」、「ファクシミリ」、「電子メール」等を選択する機能選択キー７ａ、符号キーとしてのテンキー７ｂ、複写スタートキー７ｃ等を有する入力部として機能している。
【００３１】
操作パネル部７は、それらのキー７ａ〜７ｃ等のタッチや押下により、画像形成装置Ａに対し、「コピー」、「スキャナ」、「ファクシミリ」又は「電子メール」の選択、文字等の符号入力、更に、複写スタート、複写ストップ／リセット等の当該装置の操作指示入力を受け、入力された情報が制御部１に出力されるようになっている。
【００３２】
操作パネル部７は、中央に矩形状の送信先表示入力部１５を有している。この送信先表示入力部１５は、記憶部５に記憶された未作成の発注伝票や注文伝票である文書データに所定の発注注文事項を設定入力して作成したり、作成済みの文書データを後述するフォーマットファイルに変換するために、何れのフォーマットを選択設定するかを設定入力したり、更に、外部の受注端末装置Ｂ、Ｃへの送信仕様や印刷仕様（例えばカラー設定等）を設定入力する表示部および入力部としての送信先設定画面１５ａを有している。なお、作成された文書データは記憶部５に記憶される。
【００３３】
送信先表示入力部１５は、例えば機能選択キー７ａの押下によって、変換済みのフォーマットファイルを電子メールとして送信するとき、図４Ａに示すように、そのフォーマットファイルの画像状態を確認する入力指示を受け付ける送信画像確認キー１５ｂを表示するとともにその指示の入力を受け付ける入力機能や、同図Ｂに示すように、送信先が設定されたとき、外部送信先設定指示を受け付ける送信画像控付き印刷キー１５ｃを表示するとともに、その指示の入力部を形成している。なお、同図Ｂの画面は、送信先表示入力部１５にてフォーマットファイルの送信先が指定されると切り換え表示される。
【００３４】
図１に戻って、印刷部９は、制御部１の制御の下、記憶部５からの文書データを画像イメージデータに展開し、これに基づくトナー画像を形成するとともに、それらトナー画像を印刷用紙に転写定着してフルカラー又はモノクロ印刷する機能を有するほか、次の機能を有する公知の印刷エンジンである。
【００３５】
すなわち、印刷部９は、制御部１から印刷指示されたフォーマットファイルをダイレクト印刷する印刷機能を有している。なお、ここでダイレクト印刷とは、プリンタドライバーや印刷言語を介さずに直接イメージするとともに、このイメージに基づいて画像形成して印刷するものである。
【００３６】
通信部１１は、制御部１の制御の下、上述したＦＴＰ通信プロトコルに従い、ネットワーク１３に接続された受注端末装置Ｂ、Ｃに対してフォーマットファイルを送信するとともに、自機アドレスの付されたフォーマットファイルがあればこれを取り込んで制御部１に返す機能を有するインターフェースである。
【００３７】
制御部１は、ＣＰＵ、このＣＰＵの起動プログラムを記憶したＲＯＭその他を有し、記憶部５に記憶された動作プログラムによって画像読取部３、記憶部５、操作パネル部７、印刷部９および通信部１１を制御し、画像読取部３や通信部１１からの文書データを記憶部５に記憶制御する機能、その文書データを印刷部９に渡して印刷制御する機能、未作成の文書データを作成制御する機能、フォーマットファイルの送信先を設定する設定制御機能および受注端末装置Ｂ、Ｃとの間でフォーマットファイルを含むデータを送受信する機能の他、以下の機能を有している。
【００３８】
制御部１は、操作パネル部７（送信先表示入力部１５）にて送信画像確認キー１５ｂから送信画像確認の入力指示を受けたとき、文書データを圧縮して元文書データより解像度を低下させるとともに、ダイレクト出力可能なフォーマットファイルに変換する圧縮変換部１７としての機能を有している。
【００３９】
すなわち、圧縮変換部１７は、記憶部５に記憶された文書データを、例えばＴＩＦＦ（tagged image file format）の圧縮データ形式ファイルに変換し、元文書データより解像度を低下させるとともに、ダイレクト出力可能なフォーマットファイルに変換する機能を有している。例えば、６００ｄｐｉの解像度を３００ｄｐｉに低下させてＴＩＦＦ形式ファイルにして出力する訳である。
【００４０】
制御部１は、操作パネル部７（送信先表示入力部１５）にて送信画像確認キー１５ｂから送信画像確認の入力指示を受けたとき、圧縮変換部１７を制御して解像度を下げたＴＩＦＦフォーマットファイルを出力させるとともに、このフォーマットファイルに対して自機に付された自機ＩＰアドレス「ａａａ．ａａａ．ａａ．ａａａ」を付して自機を送信先の設定する送信先設定部１９としての機能を有している。
【００４１】
送信先設定部１９は、操作パネル部７（送信先表示入力部１５）にて送信画像控え印刷キー１５ｃから送信画像控え印刷の入力指示を受けたとき、圧縮変換部１７を制御して解像度を下げたＴＩＦＦフォーマットファイルを出力させるとともに、そのフォーマットファイルに対し、操作パネル部７から指定されたＢＢ社又はＣＣ社の受注端末装置Ｂ、Ｃの送信先ＩＰアドレス「ｂｂｂ．ｂｂｂ．ｂｂ．ｂｂｂ」又は「ｃｃｃ．ｃｃｃ．ｃｃ．ｃｃｃ」を付加するとともに、自機ＩＰアドレス「ａａａ．ａａａ．ａａ．ａａａ」も追加付加して送信先を設定する機能を有している。
【００４２】
制御部１は、送信先アドレスの付されたフォーマットファイルに基づき通信部１１を送信制御するとともに、自機ＩＰアドレスが付されていることによって取り込まれたフォーマットファイルを印刷部９に出力してダイレクト印刷制御する機能を有している。
【００４３】
なお、外部の送信先の受注端末装置Ｂ、Ｃは、そのフォーマットファイルを受信して解凍するとともにイメージ展開して印刷等し、発注伝票や注文伝票等を再現する機能を有しているが、本発明の要部ではないので説明および図示を省略する。
【００４４】
次に、本発明に係る画像形成装置の動作を図４を参照して説明する。
【００４５】
まず、画像読取部３にて原稿から文書データを読み取り処理し（ステップＳ１：読取工程）、その文書データを圧縮変換部１７にて圧縮して元文書データより解像度を低下させるとともにダイレクト出力可能なＴＩＦＦフォーマットファイルに変換する（ステップＳ２：圧縮変換工程）。
【００４６】
次いで、操作パネル部７からそのフォーマットファイルの画像状態を確認する入力指示を外部から受け付けると（ステップＳ４：入力工程）、送信先設定部１９がそのフォーマットファイルに対し、送信先アドレスとして自機に付された自機アドレスを付して送信先を設定して通信部１１に出力する（ステップＳ４：送信先設定工程）。
【００４７】
すると、通信部１１では自機アドレスの付されたフォーマットファイルを取り込んで制御部１に返し（ステップＳ５：取込工程）、制御部１は取り込まれたフォーマットファイルを印刷部９に渡して印刷部９をダイレクト印刷制御する（ステップＳ５：印刷工程）。
【００４８】
また、操作パネル部７から送信画像控え印刷を入力指示として受け付けると（ステップＳ４：入力工程）、送信先設定部１９がそのフォーマットファイルに対し、他の受注端末装置Ｂ、Ｃの送信先ＩＰアドレスとともに自機アドレスを付して送信先を設定して通信部１１に出力し（ステップＳ４：送信先設定工程）、通信部１１では送信先ＩＰアドレスに向けてフォーマットファイルを送信するとともに、自機アドレスの付されたフォーマットファイルを取り込んで制御部１に返し（ステップＳ５：通信工程、取込工程）、制御部１が取り込まれたフォーマットファイルを印刷部９に出力して印刷制御する（ステップＳ５：印刷工程）。
【００４９】
これらの処理が、本発明に係る画像形成方法の主要部に該当する。
【００５０】
このように、本発明の画像形成装置Ａは、文書データを圧縮して元文書データより解像度を低下させるとともにダイレクト出力可能なフォーマットファイルに変換する圧縮変換部１７と、そのフォーマットファイルの画像状態を確認する入力指示を外部から受け付ける操作パネル部（入力部）７と、この操作パネル部７がその入力指示を受けたとき、そのフォーマットファイルに対し、送信先アドレスとして少なくとも自機に付された自機アドレスを付して送信先を設定する送信先設定部１９と、ネットワーク１３に接続された送信先Ｂ、Ｃに対し、その送信先アドレスの付されたフォーマットファイルを処理するとともに、その自機アドレスの付されたフォーマットファイルを取り込む通信部１１と、少なくともそのフォーマットファイルから画像形成して印刷する印刷部９と、その送信先アドレスの付されたフォーマットファイルに基づきその通信部１１を送信制御するとともに、取り込まれたフォーマットファイルに基づきその印刷部９を印刷制御する制御部１とを具備している。
【００５１】
そのため、フォーマットファイルの画像状態を確認する入力指示を操作パネル部７から入力指示するだけで、解像度を下げた文書データの画像状態を自機で印刷等して確認することが容易となる。しかも、フォーマットファイルを送信する送信先設定や印刷設定が不要である。
【００５２】
また、そのネットワーク１３に接続された外部の送信先Ｂ、Ｃを指定する外部送信先設定指示をその入力指示として受けたとき、そのフォーマットファイルに対し、その自機アドレスおよび外部の送信先Ｂ、Ｃの送信先アドレスを付して送信先を設定するから、フォーマットファイルを送信する送信先を設定して外部送信先設定指示するだけで、外部の送信先Ｂ、Ｃに対してフォーマットファイルを送信可能にあるうえ、解像度を低下させた文書データの画像状態を送信元で確認することが容易となる。
【００５３】
さらに、そのフォーマットファイルとしてＴＩＦＦ形式ファイルに変換するし、ＴＩＦＦ形式への変換用ソフトウエアが容易に入手可能であるから、ＴＩＦＦ形式ファイルへの変換が安価かつ容易に実施可能である。
【００５４】
もっとも、本発明においては、ＴＩＦＦ形式ファイルに限定されず、例えば、ＪＰＥＧ（Joint Photographic Experts Group）、ＰＤＦ（portable document format）又はＸＰＳ（ＸＭＬ（extensible markup language）paper specification）その他公知ファイル形式であっても同様に可能であり、解像度を低下させるとともにダイレクト出力可能なフォーマットファイルに変換すればよい。
【００５５】
なお、低下させる解像度のレベル等は、操作パネル部７の送信先設定画面１５ａ等によって任意に選択可能であるし、文書データの圧縮も、種々の圧縮手法で実施可能であるし、個々の文書データに限らず、複数の文書データをまとめる圧縮手法も可能である。
【００５６】
さらにまた、印刷部９が、自機アドレスの付されたフォーマットファイルをダイレクト印刷する印刷機能を有するから、解像度を低下させた文書データの画像状態を送信元で容易に印刷確認することが可能である。
【００５７】
ところで、本発明の画像形成装置Ａにおいて、通信部１１で取り込む自機アドレス付きフォーマットファイルは、ネットワーク１３から送信せずに通信部１１自信で信号処理する過程でそれを把握して取り込んで制御部１に返す構成に限らず、ネットワーク１３から送信して再度受信して取り込む構成可能である。
【図面の簡単な説明】
【００５８】
【図１】本発明に係る画像形成装置の実施の形態を示す概略ブロック図である。
【図２】本発明における送信先ＩＰアドレス一覧を説明する図である。
【図３】本発明における操作パネル部を示す図である。
【図４】本発明における送信設定画面を示す図である。
【図５】本発明における画像形成装置の動作を説明する図である。
【符号の説明】
【００５９】
１  制御部
３  画像読取部
５  記憶部
７  操作パネル部（入力部、表示部）
７ａ  選択キー
７ｂ  テンキー
７ｃ  複写スタートキー
９  印刷部
１１  通信部
１３  ネットワーク
１５  送信先表示入力部
１５ａ  送信先設定画像
１５ｂ  送信画像確認キー
１５ｃ  送信画像控え印刷キー
１７  圧縮変換部
１９  送信先設定部
Ａ  画像形成装置
Ｂ、Ｃ  受注端末装置
【図１】
2010028191.tif 000003
【図２】
2010028191.tif 000004
【図３】
2010028191.tif 000005
【図４】
2010028191.tif 000006
【図５】
2010028191.tif 000007